(57)【要約】【課題】インフルエンザ等の感染症の外来として利用でき、病院等において、医療スタッフ、他の患者、そして入院患者への感染症の二次感染の確実な防止を図ることができる感染症対策車を提供する。【解決手段】本発明では、自動車の車体１内を間仕切壁２で仕切って、前部に医療スタッフ室３、後部に患者待機室４を設けると共に、中間部に対処室５を構成し、医療スタッフ室と患者待機室の夫々に車体外との扉付き出入口８、９を設けると共に、医療スタッフ室と対処室及び対処室と患者待機室との間に扉付き出入口１２、１３を設け、患者待機室にフィルタを備えた室内空気の排気ユニット１４を設けると共に、医療スタッフ室に外気の給気ユニット１５を設け、排気ユニットからの排気の一部を対処室に還流させる還流経路１６を設けた感染症対策車を提案する。【選択図】図２
2011025727.tif 000002
【特許請求の範囲】
【請求項１】
自動車の車体内を間仕切壁で仕切って、前部に医療スタッフ室、後部に患者待機室を設けると共に、中間部に対処室を構成し、医療スタッフ室と患者待機室の夫々に車体外との扉付き出入口を設けると共に、医療スタッフ室と対処室及び対処室と患者待機室との間に扉付き出入口を設け、患者待機室にフィルタを備えた室内空気の排気ユニットを設けると共に、医療スタッフ室に外気の給気ユニットを設け、排気ユニットからの排気の一部を対処室に還流させる還流経路を設けたことを特徴とする感染症対策車。
【請求項２】
フィルタはＨＥＰＡ又はＵＬＰＡフィルタである請求項１に記載の感染症対策車。
【発明の詳細な説明】
【技術分野】
【０００１】
本発明は感染症対策車、特に、インフルエンザ等の空気感染、飛沫感染等の感染者の診断や治療等の対処に適した感染症対策車に関するものである。
【背景技術】
【０００２】
近来、鳥インフルエンザや、新型インフルエンザの発生と、人への感染による大流行の懸念が高まっている。高熱を伴うインフルエンザの患者が、病院等における通常の外来にて、診察、治療等の医療上の対処を行うことは、医療スタッフ、他の患者、そして入院患者への二次感染の危険が想定される。
【０００３】
このような危険性を防ぐためには、高熱を伴い、インフルエンザが疑われる患者に対しては、病院等の通常の外来とは別の場所に発熱患者用の外来を設けて、そこで医療上の対処を行う必要がある。
【０００４】
このような発熱患者用の外来を、一般の外来とは別に、病院内に設けることは、費用がかかり過ぎて実際的ではない。
【０００５】
そこで本発明者は、自動車の車体内を間仕切壁で仕切って複数の部屋を構成し、その部屋内に検診のための設備を設けている移動検診車を利用して外来を設けることに想到した。
【０００６】
移動検診車の代表的なものとしては、レントゲン検診車が従来から用いられている。例えば特許文献１では、自動車の車体内を間仕切壁で仕切って３つの部屋を構成し、最も前部の部屋を運転室兼Ｘ線制御室、最も後部の部屋を患者待機室、中間部の部屋をＸ線撮影室として構成している。
【先行技術文献】
【特許文献】
【０００７】
【特許文献１】特開平６−２７７２０３号公報
【発明の開示】
【発明が解決しようとする課題】
【０００８】
このように移動検診車を利用して発熱外来を設ければ、一般の患者や入院患者への感染は防げるが、医療スタッフに対しての感染を防ぐことは困難である。
【０００９】
そこで本発明では、移動検診車を合理的に改造して、医療スタッフに対しての感染症の感染を確実に防ぐと共に、外部へのウィルス等の感染症原因物質の放出を確実に防止することを目的としている。
【課題を解決するための手段】
【００１０】
本発明では、上述した課題を解決するために、自動車の車体内を間仕切壁で仕切って、前部に医療スタッフ室、後部に患者待機室を設けると共に、中間部に対処室を構成し、医療スタッフ室と患者待機室の夫々に車体外との扉付き出入口を設けると共に、医療スタッフ室と対処室及び対処室と患者待機室との間に扉付き出入口を設け、患者待機室にフィルタを備えた室内空気の排気ユニットを設けると共に、医療スタッフ室に外気の給気ユニットを設け、排気ユニットからの排気の一部を対処室に還流させる還流経路を設けた感染症対策車を提案している。
【００１１】
そして本発明では、上記構成において、フィルタはＨＥＰＡ又はＵＬＰＡフィルタとすることを提案する。
【発明の効果】
【００１２】
本発明の感染症対策車では、患者待機室内の空気は、排気ユニットからフィルタを通して感染症原因物質が塵埃と共に除去されて清浄化された後、車体外に排気されるが、その排気の一部は、還流経路を通して対処室内に還流される。
【００１３】
このため患者待機室内は対処室に対して陰圧に維持されるので、患者が患者待機室から対処室に対して出入りする際に、対処室側の出入口の扉を開とした場合には、空気は対処室から患者待機室へと流れるため、患者待機室内の空気が対処室内に流入することを防ぐことができると共に、対処室においてそれまでに対処が行われた患者からの感染症原因物質は、対処室内の塵埃と共に患者待機室に流出するので、対処室内に留まることはない。また患者待機室内の気圧は、大気圧に対しても陰圧に維持されているので、患者が患者待機室に対して出入りする際に、車体外との出入口の扉を開いても、患者待機室内の空気が大気に放出されることを防止することができる。
【００１４】
上述したとおり、患者待機室内の空気は、排気ユニットのＨＥＰＡ又はＵＬＰＡ等のフィルタを通して、ウィルス等の感染症原因物質が塵埃と共に除去された後に大気に排出されるので、患者待機室内に存在する感染症原因物質が大気に放出されることはない。
【００１５】
排気ユニットからの排気の一部は、排気ユニット内の上述したフィルタを経て清浄化されて還流経路を通して対処室に還流させるので、車体内の各室の空調負荷を低減することができる。
【００１６】
一方、医療スタッフ室には適宜フィルタを経た清浄な外気が給気ユニットから供給されていて、この医療スタッフ室内の気圧は、対処室内の気圧よりも高く維持されるので、医療スタッフが対処室に対して出入りする際、対処室側の出入口の扉を開いても、空気は医療スタッフ室から対処室へと流れるため、対処室内の空気が医療スタッフ室内に流入することを防ぐことができる。
【図面の簡単な説明】
【００１７】
【図１】図１は本発明の感染症対策車の一つの実施の形態を示す模式的側面図である。
【図２】図２は本発明の感染症対策車の一つの実施の形態を示す模式的平面断面図である。
【発明を実施するための形態】
【００１８】
次に本発明の実施の形態を、添付図面を参照して説明する。
まず図は本発明の感染症対策車を模式的に示すもので、この感染症対策車は、自動車の車体１内を間仕切壁２ａ，２ｂで仕切って、前部に医療スタッフ室３、後部に患者待機室４を設けると共に、中間部に対処室５を構成し、医療スタッフ室３と患者待機室４の夫々に車体外との扉６、７付きの出入口８、９を設けると共に、医療スタッフ室３と対処室５及び対処室５と患者待機室４との間に扉１０、１１付きの出入口１２、１３を設け、患者待機室４にフィルタ（図示省略）を備えた室内空気の排気ユニット１４を設けると共に、医療スタッフ室３に外気の給気ユニット１５を設け、上記排気ユニット１４からの排気の一部を対処室５に還流させる還流経路１６を設けた構成である。尚、図中、符号１７は出入口用のステップ、１８は運転席を概して示すものである。
【００１９】
以上の構成の本発明の感染症対策車では、患者待機室４内の空気は、排気ユニット１４から、ＨＥＰＡ又はＵＬＰＡ等のフィルタを通して感染症原因物質が塵埃と共に除去されて清浄化された後、車体１外に排気されるが、フィルタにより清浄化された排気の一部は、還流経路１６を通して対処室５内に還流される。
【００２０】
このため患者待機室４内は対処室５に対して陰圧に維持されるので、患者が患者待機室４から対処室５に対して出入りする際に、対処室５側の出入口１３の扉１１を開とした場合には、空気は図中矢印で示すように対処室５から患者待機室４へと流れるため、患者待機室４内の空気が対処室５内に流入することを防ぐことができる。また対処室５において、それまでに対処が行われた患者からの感染症原因物質は、対処室５内の塵埃と共に患者待機室４に流出するので、対処室５内に留まることはない。
【００２１】
また患者待機室４内の気圧は、大気圧に対しても陰圧に維持されているので、患者が患者待機室４に対して出入りする際に、車体外との出入口９の扉７を開いても、患者待機室４内の空気が車体１外の大気に放出されることを防止することができる。
【００２２】
一方、患者待機室４内の空気は、排気ユニット１４によりＨＥＰＡ又はＵＬＰＡ等のフィルタを通して車体１外の大気に排出されるので、患者待機室４内に存在するウィルス等の感染症原因物質は上述したようなフィルタにより塵埃と共に確実に除去され、外気に放出されることはない。
【００２３】
更に、排気ユニット１４からの排気の一部は、排気ユニット１４内の上述したフィルタを経て清浄化されて還流経路１６を通して対処室５に還流させるので、車体１内の各室３、４、５の空調負荷を低減することができる。
【００２４】
一方、医療スタッフ室３には適宜のフィルタを経た清浄な外気が給気ユニット１５から供給されていて、この医療スタッフ室３内の気圧は、対処室５内の気圧よりも高く維持されるので、医療スタッフが対処室５に対して出入りする際、対処室側の出入口１２の扉１０を開いても、空気は医療スタッフ室３から対処室５へと流れるため、対処室５内の空気が医療スタッフ室３内に流入することを確実に防ぐことができる。
【００２５】
以上のことから本発明の感染症対策車では、医療スタッフが待機する医療スタッフ室３に対しての対処室５内の空気の侵入を確実に防止することができると共に、医療スタッフが出入りして患者の診察、治療等の対処を行う対処室５に対しては、患者待機室４内の空気の侵入を確実に防止することができるので、これらの空気に含まれる感染症原因物質による感染を確実に防止することができる。
【００２６】
そして本発明の感染症対策車は、所望の場所まで移動が可能であるので、病院の通常の外来や病棟と離れた場所、例えば病院等の駐車場に駐車させて感染症用の外来、いわば発熱外来として利用することにより、高熱を伴うインフルエンザの患者が、病院の通常の外来にて、診察、治療等が行われることによる、医療スタッフ、他の患者、そして入院患者への二次感染の確実な防止を図ることができる。
【００２７】
上述したように本発明の感染症対策車は、病院等の駐車場に駐車させて発熱外来として利用できるもので、その利用状態としては下記のような例が挙げられる。
【００２８】
まず発熱患者は病院の適所に表示された案内に従って、適所に設置された発熱外来用受付にて受付を行う。この受付は、例えば無人の受付に設置されたインターフォンや電話等の通話手段により、感染症対策車の医療スタッフと通話して手続を行ったり、感染症対策車に受付を設けて、この受付にて手続を行うようにすることもできる。
【００２９】
受付を行った患者は、感染症対策車における対処状況に応じた医療スタッフ側からの指示に従い、直ちに感染症対策車に移動して患者待機室４内に入って待機するか、又は自分の自動車内において、順番がくるまで待機する。後者の場合には、自分の順番が来たことの連絡は、携帯電話を用いた医療スタッフからのコールにより行うことができる。
【００３０】
このように、患者自身が来院に使用した自分の自動車内で順番が来るまで待機させることにより、他の患者等との接触を防いで、感染の拡大を防止することができる。この場合、患者は自分の携帯電話番号を受付において伝え、自分の番が来たことを携帯電話のコールにより確認して感染症対策車に移動して患者待機室４内に入って待機することができる。尚、車での来院でない患者に対しては、例えば、感染症対策車と同様な構成、機能の患者待機車等を構成して、そこで待機させることができる。
【００３１】
尚、以上の説明では、本発明の感染症対策車の各室に設置する機器類に付いては具体例を挙げていないが、感染症の対処に必要な適宜の機器類を設けることができる。また機器類に必要な電力は、病院等から電力ケーブルを介して供給するように構成すれば、自動車のエンジンを停止させた状態で機能させることができ、排気ガスの排出を抑制することができる。
【産業上の利用可能性】
【００３２】
本発明の感染症対策車は、インフルエンザの発熱外来として利用できる他、空気感染又は飛沫感染する他の感染症に対しての対処を行うために利用することができ、こうして、病院等において、医療スタッフ、他の患者、そして入院患者への感染症の二次感染の確実な防止を図ることができる。
【符号の説明】
【００３３】
１              車体
２ａ，２ｂ      間仕切壁
３              医療スタッフ室
４              患者待機室
５              対処室
６、７          扉
８、９          出入口
１０、１１      扉
１２、１３      出入口
１４            排気ユニット
１５            給気ユニット
１６            還流経路
１７            ステップ
１８            運転席
【図１】
2011025727.tif 000003
【図２】
2011025727.tif 000004